(57)【特許請求の範囲】
【請求項１】
電動機を内蔵した本体と、この本体上に前記電動機により回転駆動される駆動コネクターと前記駆動コネクターを覆うカバーを一体的に設け、前記本体上に着脱自在に装着され前記駆動コネクターに係合し回転駆動されるカッター６と直結した従動コネクターを有する容器台とこの容器台に嵌合する容器を備え、前記従動コネクターはコネクター軸と前記コネクター軸と直交する受動部を有し、前記カバーは前記従動コネクターが通過可能な前記コネクター軸と受動部と相似な形状の開口部を設けた電動調理器。
【請求項２】
従動コネクターの受動部を略十字形状とし、カバーの開口部を略放射状形状とした請求項１に記載の電動調理器。
【請求項３】
カバーの開口部を８放射形状とした請求項２に記載の電動調理器。
【請求項４】
カバー外面に従動コネクターが開口部への挿入のガイドとなる差込用傾斜部を設けた請求項１または請求項２に記載の電動調理器。
【請求項５】
カバー内側に従動コネクターが開口部への抜出しのガイドとなる抜出し用傾斜部を設けた請求項１または請求項２または請求項４に記載の電動調理器。
【発明の詳細な説明】
【０００１】
【発明の属する技術分野】
本発明は、主として野菜、果物等を粉砕して液体物と混合させることによりジュースをつくるミキサーや、コーヒー豆等を粉砕するミル等に関するものである。
【０００２】
【従来の技術】
従来のこの種の電動調理器は図５に示すように本体２１に内蔵した電動機２２に直結した駆動コネクター２３と、カッター２６に直結した従動コネクター２４を介し容器台２５に軸支されたカッター２６を回転させ、容器２７内の果物・野菜類と液体を切削・粉砕し撹拌する。容器台２５は本体２１上に着脱自在に載置されるようになっている。
【０００３】
【発明が解決しようとする課題】
しかしながら前記従来の構成では、本体に容器台を載せていない状態でも駆動コネクターが外部に露出したまま高速で回転するため危険であるという課題があった。
【０００４】
【課題を解決するための手段】
前記従来の課題を解決するために本発明は、本体上に駆動コネクターを覆うカバーを一体的に設け、カッターと直結した従動コネクターはコネクター軸とこのコネクター軸と直交する受動部を有し、前記カバーにはこの従動コネクターが通過可能なコネクター軸と受動部と相似な開口部を設けた構成としたものである。
【０００５】
前記構成により、本体に容器台を載せていない場合でも高速で回転する駆動コネクターが外部に露出しないよう覆うことができるものである。
【０００６】
【発明の実施の形態】
本発明の請求項１に記載の発明は、電動機を内蔵した本体と、この本体上に前記電動機により回転駆動される駆動コネクターと、前記駆動コネクターを覆うカバーを一体的に設け、前記本体上に着脱自在に装着され前記駆動コネクターに係合し回転駆動されるカッター６と直結した従動コネクターを有する容器台とこの容器台に嵌合する容器を備え、前記従動コネクターはコネクター軸と、前記コネクター軸と直交する受動部を有し、前記カバーは前記従動コネクターのみが通過可能な前記コネクター軸と受動部と相似な開口部を設けた構成としたものである。
【０００７】
このことにより、本体に容器台を載せない場合でも高速で回転する駆動コネクターがカバーにより外部に露出しない。
【０００８】
また、本発明の請求項２に記載の発明は、請求項１の構成に加えて従動コネクターの受動部を略十字形状とし、カバーの開口部を略放射状形状にしたものである。
【０００９】
このことにより、本体に容器台を載せない場合でも高速で回転する駆動コネクターがカバ−により外部に露出しない。
【００１０】
また、本発明の請求項３に記載の発明は、請求項２の構成に加えてカバーの開口部を８放射形状としたものである。
【００１１】
このことにより、容器台を本体に装脱着する際の従動コネクターとカバーの開口部の相対的な挿入のための位置関係の自由度を増やすことができる。
【００１２】
また、本発明の請求項４に記載の発明は、請求項１または請求項２の構成に加えてカバー外面に従動コネクターが開口部への挿入のガイドとなる差込用傾斜部を設けたものである。
【００１３】
このことにより、容器台を本体に装着する際に従動コネクターをスムーズにカバーの開口部に導くことができる。
【００１４】
また、本発明の請求項５に記載の発明は、請求項１または請求項２または請求項４の構成に加えてカバー内側に従動コネクターが開口部からの抜出しのガイドとなる抜出し用傾斜部を設けたものである。
【００１５】
このことにより、容器台を本体から抜出す際に従動コネクターをスムーズにカバーの開口部に導くことができる。
【００１６】
【実施例】
以下、本発明の実施例について図面を用いて説明する。
【００１７】
図１は実施例１の電動調理器の要部断面図、図２は要部斜視図、図３は容器台への従動コネクターの装着動作を示す斜視図、図４は容器台からの従動コネクターの脱動作を示す斜視図である。
【００１８】
図において本体１に内蔵した電動機２に直結した駆動コネクター３と、従動コネクター４を介し容器台５に軸支されたカッター６を回転させ容器７内の果物・野菜類と液体などを約１００００ｒｐｍの高速回転で切削・粉砕し撹拌する。容器台５は本体１に着脱自在に載置されている。本体１には駆動コネクター３を覆うカバー８が設けられている。従動コネクター４はコネクター軸９とコネクター軸９と直交する受動部１０を持つ略十字形状をしている。カバー８にはコネクター軸９と遊嵌する開口部１２と、受動部１０に遊嵌する開口部１１を有する放射形状のスリット状の開口部１３が設けられている。従動コネクター４は開口部１３と幾何的位置の一致した場合のみ開口部１３を通過することができるように配設している。また、本実施例の開口部１３のスリット幅は幼児の指の入らない程度の５ｍｍとすれば幼児がスリットに指を挿入することはできない。
【００１９】
カバー８上面の開口部１３の横には差込み用の傾斜部１４が設けられている。容器台５を本体１に装着する際、容器台５に軸支されている従動コネクター４は差込み用の傾斜部１４に当たり少し回転しながらスムーズに開口部１３のスリットを通過し駆動コネクター３に係合させることができる。
【００２０】
カバー８の内側には開口部１３のスリットの横に抜出し用の傾斜部１５が設けられている。容器台５を本体１から脱する際、容器台５に軸支されている従動コネクター４は抜出し用の傾斜部１５に当たり少し回転しながらスムーズに開口部１３であるスリットを通過し本体１から容器台５を容易に取り外すことができる。
【００２１】
上記構成により、本体に容器台を載せない場合でも高速で回転する駆動コネクターが外部に露出しないよう覆うことができる。従って、使用者が誤って高速回転している駆動コネクターに触れて怪我をしたり、フキンやタオルを駆動コネクターに巻き付かせてしまうこと等を防止することができる。また、カバーの開口部をスリット状で５ｍｍ程度としているため指を入れて怪我をすることもない。
【００２２】
また、従動コネクターは十字（４放射）形状に対し開口部であるスリットは８放射形状としているので従動コネクターとスリットの位置合わせが容易となり本体への容器台の着脱が容易となり使用者の使い勝手が向上する。
【００２３】
また、カバー外面のスリットの横には差込み用の傾斜部が設けられ。従動コネクターは差込み用の傾斜部に当たり回転しながらスムーズにスリットを通過し駆動コネクターに係合させることができ、本体への容器台の装着がより容易となり使用者の使い勝手が向上する。
【００２４】
また、カバー内面のスリットの横には抜出し用傾斜部が設けられ。従動コネクターは抜出し用の傾斜部に当たり回転しながらスムーズにスリットを通過し本体から容器台を取り外すことができ使い勝手がより向上する。
【００２５】
【発明の効果】
以上のように本発明によれば、本体に容器台を載せない場合でも高速で回転する駆動コネクターが外部に露出しないよう覆っているので、使用者が誤って高速回転している駆動コネクターに触れて怪我をしたり、フキンやタオルを駆動コネクターに巻き付かせてしまうことを防止することができるため安全性が向上する。
【００２６】
また、カバーの開口部をスリット状とすれば指を入れて怪我をすることもなく安全性をより向上させることができる。
【００２７】
また、容器台を本体に装着、取り出しする際にガイドとなる傾斜部を設けているため従動コネクターをスムーズにカバーの開口部に導くことができるため本体への容器台の装着、取り出しがより容易となり使用者の操作性・使い勝手が向上する。
【図面の簡単な説明】
【図１】  本発明の実施例における電動調理器の要部断面図
【図２】  同要部斜視図
【図３】  同容器台への従動コネクターの装着動作を示す斜視図
【図４】  同容器台からの従動コネクターの抜出し動作を示す斜視図
【図５】  従来の電動調理器の要部断面図
【符号の説明】
１    本体
２    電動機
３    駆動コネクター
４    従動コネクター
５    容器台
７    容器
８    カバー
９    コネクター軸
１０  受動部
１３  スリット（開口部）
１４  差込み用傾斜部
１５  抜出し用傾斜部
【図１】
0004186402.tif 000002
【図２】
0004186402.tif 000003
【図３】
0004186402.tif 000004
【図４】
0004186402.tif 000005
【図５】
0004186402.tif 000006